(57)【特許請求の範囲】
【請求項１】
材料供給機から繰り出されるブレーカーを所定寸にカットし、定寸ブレーカーを成形ドラムに供給するタイヤ成形サービサーに用いられるタイヤ構成部材の搬送装置であって、
前記ブレーカーを前記成形ドラムに向けて搬送するために搬送方向に沿って配置される複数の搬送コンベアと、
上流側の前記搬送コンベアと下流側の前記搬送コンベアとの間に設置されるカッターユニットとを備え、
前記カッターユニットは、
前記ブレーカーを切断するカッターと、
前記カッターを搬送幅方向の一方の側から他方の側に走行させるカッター走行手段と、
上面側に前記カッターの走行溝が形成され、上面が前記搬送コンベアの上面と同一平面内に位置するように配置されるカッタープレートと
を備えており、
前記カッター走行手段は前記カッターを搬送方向に対して斜め方向に走行させて前記ブレーカーを剣先形状に切断するように構成され、
前記カッタープレートの走行溝は前記カッターの走行軌道に合わせて搬送方向に対して斜め方向に形成されており、
前記カッタープレートは複数の走行溝付き分割カッタープレートから構成され、
複数の前記走行溝付き分割カッタープレートは、前記カッターの走行軌道に沿って対角位置に配置され、
前記走行溝付き分割カッタープレートと前記搬送コンベアとの間に前記ブレーカーの搬送を補助する搬送補助コンベアが対角位置に配置されている
ことを特徴とするタイヤ構成部材の搬送装置。
【請求項２】
材料供給機から繰り出されるブレーカーを所定寸にカットし、定寸ブレーカーを成形ドラムに供給するタイヤ成形サービサーに用いられるタイヤ構成部材の搬送装置であって、
前記ブレーカーを前記成形ドラムに向けて搬送するために搬送方向に沿って配置される複数の搬送コンベアと、
上流側の前記搬送コンベアと下流側の前記搬送コンベアとの間に設置されるカッターユニットとを備え、
前記カッターユニットは、
前記ブレーカーを切断するカッターと、
前記カッターを搬送幅方向の一方の側から他方の側に走行させるカッター走行手段と、
上面側に前記カッターの走行溝が形成され、上面が前記搬送コンベアの上面と同一平面内に位置するように配置されるカッタープレートと
を備えており、
前記カッター走行手段は前記カッターを搬送方向に対して斜め方向に走行させて前記ブレーカーを剣先形状に切断するように構成され、
前記カッタープレートの走行溝は前記カッターの走行軌道に合わせて搬送方向に対して斜め方向に形成されており、
前記カッタープレートは搬送方向および搬送幅方向に分割された少なくとも２つの走行溝付き分割カッタープレートと、少なくとも２つの前記走行溝のない分割カッタープレートとで構成され、前記走行溝付き分割カッタープレートおよび前記分割カッタープレートはそれぞれ対角位置に配置されている
ことを特徴とするタイヤ構成部材の搬送装置。
【請求項３】
隣り合う前記走行溝付き分割カッタープレートは、搬送方向に対して左右両側に位置し、辺部同士が突き合うように配置されていることを特徴とする請求項１または請求項２に記載のタイヤ構成部材の搬送装置。
【発明の詳細な説明】
【技術分野】
【０００１】
本発明は、タイヤ構成用部材であるブレーカー（帯状ゴム部材）を所定寸に切断し、定寸ブレーカーをタイヤ成形ドラムに供給するタイヤ成形サービサーに用いられるタイヤ構成部材の搬送装置に関する。
【背景技術】
【０００２】
タイヤ成形サービサーは、タイヤ成形ドラムにブレーカーを送り出すためのタイヤ構成部材の搬送装置と、前記タイヤ構成部材の搬送装置に対してブレーカーを供給する複数の材料供給機とで構成されている（特許文献１）。
【０００３】
従来のタイヤ構成部材の搬送装置について、図４および図５を用いて説明する。図４は従来のタイヤ構成部材の搬送装置を示す斜視図であり、図５は従来のタイヤ構成部材の搬送装置のカッターユニットを示す斜視図であり、カッターユニットは、ブレーカーＡを所定寸に切断するための装置であって、カッター５０１と、ブレーカーＡを搬送する搬送コンベア５０２の搬送幅方向の一方の側から他方の側にカッター５０１を走行させるカッター走行手段５０３と、カッターの走行溝５０４を有し、搬送コンベア５０２上に配置されるアンビル５０５とを備えている。
【０００４】
従来のタイヤ構成部材の搬送装置は、図４および図５に示すように、材料供給機から繰り出されるブレーカーＡを搬送コンベア５０２上に送り出し、アンビル５０５に乗り上げて停止させた状態で所定寸に切断し、定寸ブレーカーＡ１を成形ドラムＢに順次供給して成形ドラムＢ上で巻回し、定寸ブレーカーＡ１の切断端部Ａ２同士をジョイントすることにより環状のトレッドリングを形成する。また、このジョイント部Ａ３での接合強度を高めるために、定寸ブレーカーＡ１の剣先形状の切断端部Ａ２は、切断縁が一方に傾斜した剣先形状に形成される。
【０００５】
かかる従来のタイヤ構成部材の搬送装置において、アンビル５０５は搬送コンベア５０２の上に配置されているため、ブレーカーＡはアンビル５０２を乗り越えて通過しなければならない。このため、ブレーカーＡが搬送コンベア５０２の上面から浮き上がってセンタリング位置からずれ、ジョイント部Ａ３において定寸ブレーカーＡ１の剣先形状の切断端部Ａ２同士の間が開いて不良品が発生するという問題があった。
【０００６】
また、アンビル５０４と搬送コンベア５０２との間には接触を避けるための隙間が設けられているため、ブレーカーＡがアンビル５０４を乗り越えずにブレーカーＡの先端部がアンビル５０４の下に潜り込んでカット域にブレーカーＡが詰まり、ブレーカーＡが搬送できなくなって生産性が低下するという問題があった。
【先行技術文献】
【特許文献】
【０００７】
【特許文献１】特開平６−２２６８８０号公報
【発明の概要】
【発明が解決しようとする課題】
【０００８】
本発明は、上記の問題の解決に鑑み、成形ドラム上での定寸ブレーカーのジョイント部の開きをなくして高精度でブレーカーを搬送・巻回して貼り付けることによりタイヤ性能を向上させることができ、また、ブレーカーを円滑に搬送させて生産性を向上させることができるタイヤ構成部材の搬送装置を提供することを課題とする。
【課題を解決するための手段】
【０００９】
本発明のタイヤ構成部材の搬送装置は、
材料供給機から繰り出されるブレーカーを所定寸にカットし、定寸ブレーカーを成形ドラムに供給するタイヤ成形サービサーに用いられるタイヤ構成部材の搬送装置であって、
前記ブレーカーを前記成形ドラムに向けて搬送するために搬送方向に沿って配置される複数の搬送コンベアと、
上流側の前記搬送コンベアと下流側の前記搬送コンベアとの間に設置されるカッターユニットとを備え、
前記カッターユニットは、
前記ブレーカーを切断するカッターと、
前記カッターを搬送幅方向の一方の側から他方の側に走行させるカッター走行手段と、
上面側に前記カッターの走行溝が形成され、上面が前記搬送コンベアの上面と同一平面内に位置するように配置されるカッタープレートと
を備えており、
前記カッター走行手段は前記カッターを搬送方向に対して斜め方向に走行させて前記ブレーカーを剣先形状に切断するように構成され、
前記カッタープレートの走行溝は前記カッターの走行軌道に合わせて搬送方向に対して斜め方向に形成されており、
前記カッタープレートは複数の走行溝付き分割カッタープレートから構成され、
複数の前記走行溝付き分割カッタープレートは、前記カッターの走行軌道に沿って対角位置に配置され、
前記走行溝付き分割カッタープレートと前記搬送コンベアとの間に前記ブレーカーの搬送を補助する搬送補助コンベアが対角位置に配置されている
ことを特徴とする。
【００１０】
また、本発明のタイヤ構成部材の搬送装置は、
材料供給機から繰り出されるブレーカーを所定寸にカットし、定寸ブレーカーを成形ドラムに供給するタイヤ成形サービサーに用いられるタイヤ構成部材の搬送装置であって、
前記ブレーカーを前記成形ドラムに向けて搬送するために搬送方向に沿って配置される複数の搬送コンベアと、
上流側の前記搬送コンベアと下流側の前記搬送コンベアとの間に設置されるカッターユニットとを備え、
前記カッターユニットは、
前記ブレーカーを切断するカッターと、
前記カッターを搬送幅方向の一方の側から他方の側に走行させるカッター走行手段と、
上面側に前記カッターの走行溝が形成され、上面が前記搬送コンベアの上面と同一平面内に位置するように配置されるカッタープレートと
を備えており、
前記カッター走行手段は前記カッターを搬送方向に対して斜め方向に走行させて前記ブレーカーを剣先形状に切断するように構成され、
前記カッタープレートの走行溝は前記カッターの走行軌道に合わせて搬送方向に対して斜め方向に形成されており、
前記カッタープレートは搬送方向および搬送幅方向に分割された少なくとも２つの走行溝付き分割カッタープレートと、少なくとも２つの前記走行溝のない分割カッタープレートとで構成され、前記走行溝付き分割カッタープレートおよび前記分割カッタープレートはそれぞれ対角位置に配置されている
ことを特徴とする。
【００１１】
さらに、前記のタイヤ構成部材の搬送装置は、
隣り合う前記走行溝付き分割カッタープレートは、搬送方向に対して左右両側に位置し、辺部同士が突き合うように配置されていることを特徴とする。
【発明の効果】
【００１２】
本発明によれば、成形ドラム上での定寸ブレーカーのジョイント部の開きをなくして高精度でブレーカーを搬送・巻回して貼り付けることによりタイヤ性能を向上させることができ、また、ブレーカーを円滑に搬送して生産性を向上させることができる。
【図面の簡単な説明】
【００１３】
【図１】本発明に係るタイヤ構成部材の搬送装置の一実施の形態を示す斜視図である。
【図２】本発明に係るタイヤ構成部材の搬送装置のカッターユニットの一例を示す斜視図である。
【図３】本発明に係るタイヤ構成部材の搬送装置のカッターユニットの一例を示す平面図である。
【図４】従来のタイヤ構成部材の搬送装置を示す斜視図である。
【図５】従来のタイヤ構成部材の搬送装置のカッターユニットを示す斜視図である。
【発明を実施するための形態】
【００１４】
以下、本発明をその実施の形態に基づいて説明する。なお、本発明は、以下の実施の形態に限定されるものではない。本発明と同一および均等の範囲内において、以下の実施の形態に対して種々の変更を加えることが可能である。
【００１５】
〈実施の形態１〉
１．タイヤ構成部材の搬送装置の構成
図１は本発明に係るタイヤ構成部材の搬送装置の一実施の形態を示す斜視図、図２は本発明に係るタイヤ構成部材の搬送装置のカッターユニットの一例を示す斜視図、図３は本発明に係るタイヤ構成部材の搬送装置のカッターユニットの一例を示す平面図である。
【００１６】
図１〜図２に示すように、タイヤ構成部材の搬送装置は、図外の材料供給機から繰り出されるブレーカーＡを所定の長さに切断して定寸ブレーカーＡ１を成形ドラムＢに供給する装置であって、ブレーカーＡおよび定寸ブレーカーＡ１を搬送する搬送手段１と、ブレーカーＡを所定寸に切断して定寸ブレーカーＡ１を形成するためのカッターユニット２と、プログラム制御により装置全体を自動的に制御する図外の制御手段とを備えている。なお、ブレーカーＡは、切断端部Ａ２の切断縁が所定の傾斜角度を有する剣先形状となるように切断されるものである。
【００１７】
（１）搬送手段
搬送手段１は、ブレーカーＡおよび定寸ブレーカーＡ１を成形ドラムＢに搬送する装置であって、ブレーカーＡおよび定寸ブレーカーＡ１の搬送方向に沿って配置される複数の搬送コンベア１ａを備えている。
【００１８】
各搬送コンベア１ａは、サーボモータ１ｂに連結される駆動プーリー１ｃおよび従動プーリー１ｄと、これらのプーリー１ｃ、１ｄ間に巻掛けされる無端状ベルト１ｅとを備えている。
【００１９】
上流側の搬送コンベア１ａと下流側の搬送コンベア１ａとの間にはカッターユニット２を配置するための隙間（以下、カット域という。）が設けられている。
【００２０】
（２）カッターユニット
カッターユニット２は、ブレーカーＡを切断するカッター３（刃体）と、カッター走行手段４と、カッタープレート５と、搬送補助コンベア６とを備えており、カッタープレート５と搬送補助コンベア６は２つの搬送コンベア１ａ間のカット域に配置されている。
【００２１】
（ａ）カッター走行手段
カッター走行手段４は、カッター３を搬送方向に対してブレーカーＡの剣先形状の前記傾斜角度と同じ傾斜角度θで、搬送幅方向の一方の側から他方の側に斜めに走行させる装置である。
【００２２】
カッター走行手段４はカッター３が取付けられるスライダ４ａおよびステー４ｂを備え、ステー４ｂにはガイドレール４ｃが並設され、スライダ４ａがガイドレール４ｃに沿って移動してブレーカーＡの上を斜めに横切るように駆動機構により往復駆動される。駆動機構は、図示していないが、サーボモータの駆動プーリーと従動プーリーを備え、これらのプーリー間に巻掛けされる無端状ベルトにスライダ４ａを介してカッター３を取付けている。
【００２３】
（ｂ）カッタープレート
カッタープレート５は、２枚の分割カッタープレート５ａ、５ｂからなり、分割カッタープレート５ａ、５ｂのそれぞれ上面側にはカッター３の走行溝５１ａ、５１ｂが搬送方向に対して傾斜角度θで斜めに形成されている。
【００２４】
分割カッタープレート５ａ、５ｂは、２つの搬送コンベア１ａ間のカット域の対角線上に、カッター３の走行軌道に沿うように配置されている。分割カッタープレート５ａ、５ｂの走行溝５１ａ、５１ｂはカッター３の走行軌道と合致するように形成され、かつ、カッター３の走行に支障がないように溝端同士は近接して配置されている。
【００２５】
（ｃ）搬送補助コンベア
搬送補助コンベア６は、サーボモータ６ａに連結される駆動プーリー６ｂおよび従動プーリー６ｃと、これらのプーリー６ｂ、６ｃ間に巻掛けされる無端状ベルト６ｄとを備えている。搬送補助コンベア６は、搬送手段１の２つの搬送コンベア１ａと分割カッタープレート５ａ、５ｂとの間のカット域の対角位置に配置されている。
【００２６】
また、分割カッタープレート５ａ、５ｂの上面と、搬送補助コンベア６の上面と、搬送手段１の搬送コンベア１ａの上面とは同一平面内に位置するようになっている。
【００２７】
また、ブレーカーＡの切断端部Ａ２の前記傾斜角度は適宜変更されるものであり、それに応じた傾斜角度θの変更領域を図３の斜線で示している。そして、その角度変更に応じて、カッター走行手段２はカッター３の走行軌道が変更できる構成が採用され、また、分割カッタープレート５ａ、５ｂは、変更される傾斜角度θで形成された走行溝５１ａ、５１ｂを有する分割カッタープレート５ａ、５ｂと交換される。
【００２８】
２．タイヤ構成部材の搬送装置の動作説明
（１）材料供給機からの搬入
まず、前記材料供給機からロール状に巻かれたブレーカーＡを繰り出して搬送コンベア１に搬入する。
【００２９】
（２）ブレーカーＡの切断
搬送コンベア１ａにより搬送されるブレーカーＡがカット域に進入してカッタープレート５および搬送補助コンベア６の上面に達したのち、搬送補助コンベア６の搬送作用を受けながらカッタープレート上５をスムーズにスライドして搬送方向に移動する。
【００３０】
そして、ブレーカーＡの切断予定箇所がカッタープレート５の走行溝５ａの上にきたときに搬送コンベア１ａと搬送補助コンベア６を一旦停止させる。そして、カッター３を搬送幅方向の一方側から他方側に向かって斜めに走行させることにより、ブレーカーＡは所定寸に切断され、かつ切断端部Ａ２は切断縁が一方に傾斜した剣先形状に形成される。
【００３１】
（３）成形ドラムへの巻き付け
ブレーカーＡを切断した後は、ブレーカーＡの搬送を再開して定寸ブレーカーＡ１を成形ドラムＢに巻き取って成形する。
【００３２】
３．本実施の形態の効果
（１）本実施の形態によれば、アンビルに代えて上面が搬送コンベアの上面と同一平面内に位置するカッタープレート５を配置するため、ブレーカーがアンビルを乗り越えることによりブレーカーＡがセンタリング位置からずれて成形ドラム上での定寸ブレーカーＡのジョイント部Ａ３が開くということがなくなる（図１参照）。
【００３３】
（２）また、ブレーカーＡの先端部がアンビルの下に潜り込んで搬送不能になることも防止することができるため、タイヤの生産性を向上させることができる。
【００３４】
（３）また、カット域内にカッタープレート５を配置しても、搬送補助コンベア６によりカット域内でブレーカーＡの搬送作用が途切れることがない。
【００３５】
すなわち、カット域内でのブレーカーＡの搬送については、上流側の搬送補助コンベア６によるブレーカーＡへの搬送作用（図３において矢印Ｃ１で示す。）は、コンベア６の終端で終了するが、その終了後すぐに下流側の搬送補助コンベア６の搬送作用（図３において矢印Ｃ２で示す）をブレーカーＡに働かせることができるため、カッタープレート５の存在によりカット域内でブレーカーＡの搬送作用が途切れることがない。
【００３６】
（４）また、カッター３が走行する傾斜角度θを変更する場合には、搬送補助コンベア６をそのままにして、走行溝付き分割カッタープレート５ａ、５ｂのみを交換するだけで済ませることができるため、コストを抑えることができる。
【００３７】
（５）また、走行溝のある分割カッタープレート５ａ、５ｂは、点対称に形成することが可能となるため、分割カッタープレート５ａ（５ｂ）を平面内で１８０度回転させることによって、分割カッタープレート５ｂ（５ａ）として使用することができ、カッタープレートの製作費を低減することができる。
【００３８】
〈実施の形態２〉
実施の形態２は、搬送補助コンベア６に代えて走行溝のない分割カッタープレートを配置して構成されるものである。なお、これ以外のタイヤ構成部材の搬送装置の構成は、実施の形態１のものと同様であるため、説明を省略する。
【００３９】
実施の形態２によれば、ブレーカーＡおよび定寸ブレーカーＡ１の搬送が搬送手段１の搬送力だけで足りるため、搬送補助コンベア６が不要となる場合に、搬送補助コンベア６の位置に走行溝のない分割カッタープレートを配置することにより、カット域をカッタープレートのみで構成することができて製作コストが安くなり、構造も簡単となる。
【００４０】
<実施の形態３>
実施の形態３は、隣り合う前記走行溝付き分割カッタープレートは、それぞれの上面が同一平面内にあって、搬送方向に対して左右両側に位置し、辺部同士が突き合うように配置されて構成されるものである。なお、これ以外のタイヤ構成部材の搬送装置の構成は、実施の形態１のものと同様であるため、説明を省略する。
【００４１】
実施の形態３によれば、走行溝付き分割カッタープレートの辺部同士を密着させることができるため、分割カッタープレート同士の位置合わせが容易になり、分割カッタープレート組み立て作業が容易になる。また、搬送補助コンベアを設ける場合においても、搬送コンベアの全長を搬送補助に必要な最小限の長さに留めることができ、コストを抑えることができる。
【符号の説明】
【００４２】
１                搬送手段
１ａ、５０２      搬送コンベア
１ｂ、６ａ        サーボモータ
１ｃ、６ｂ        駆動プーリー
１ｄ、６ｃ        従動プーリー
１ｅ、６ｄ        無端状ベルト
２                カッターユニット
３、５０１        カッター
４、５０３        カッター走行手段
４ａ              スライダ
４ｂ              ステー
４ｃ              ガイドレール
５                カッタープレート
５ａ、５ｂ        分割カッタープレート
６                搬送補助コンベア
５１ａ、５１ｂ、５０４    走行溝
５０５            アンビル
Ａ                ブレーカー
Ａ１              定寸ブレーカー
Ａ２              切断端部
Ａ３              ジョイント部
Ｂ                成形ドラム
θ                傾斜角度
【図１】
0005465521.tif 000002
【図２】
0005465521.tif 000003
【図３】
0005465521.tif 000004
【図４】
0005465521.tif 000005
【図５】
0005465521.tif 000006